(57)【要約】【課題】待機電力を低減させて複数の装置で電子番組表情報を共有化する。【解決手段】送信装置１００は、放送波に含まれる電子番組表情報を取得する取得部１０２と、取得部１０２により取得された電子番組表情報を被記憶媒体１０８に記録する記録部１０６と、被記憶媒体１０８に記録された電子番組表情報と、取得部１０２により新たに取得された電子番組表情報とを比較して電子番組表情報が変更されたか否かを判断する判断部１０４と、電子番組表情報が変更されたと判断部１０４により判断された場合に、新たに取得された電子番組表情報を、ネットワークを介して接続された１または２以上の受信装置に送信する送信部１１０と、を備える。【選択図】図４
2010028375.tif 000002
【特許請求の範囲】
【請求項１】
放送波に含まれる電子番組表情報を取得する取得部と、
前記取得部により取得された前記電子番組表情報を被記憶媒体に記録する記録部と、
前記被記憶媒体に記録された前記電子番組表情報と、前記取得部により新たに取得された電子番組表情報とを比較して前記電子番組表情報が変更されたか否かを判断する判断部と、
前記電子番組表情報が変更されたと前記判断部により判断された場合に、前記新たに取得された電子番組表情報を、ネットワークを介して接続された１または２以上の受信装置に送信する送信部と、
を備える、送信装置。
【請求項２】
前記取得部は、所定期間の前記電子番組表情報を取得し、
前記記録部は、前記取得部により取得された所定期間の前記電子番組表情報を被記憶媒体に記録し、
前記判断部は、前記被記憶媒体に記録された所定期間内の電子番組表情報と前記取得部により新たに取得された前記電子番組表情報とを比較して、前記所定期間内の電子番組表情報に変更があるか否かを判断し、
前記送信部は、前記判断部により前記所定期間内の電子番組表情報に変更があると判断された場合に、前記１または２以上の受信装置に前記電子番組表情報を前記取得部により取得した直後に送信する、請求項１に記載の送信装置。
【請求項３】
前記電子番組表情報には番組の名称および内容を示す番組情報と当該電子番組表情報を取得した時刻を示す時刻情報が含まれ、
前記送信部は、前記電子番組表情報が変更されていないと前記判断部により判断された場合に、前記電子番組表情報に含まれる前記時刻情報のみを送信する、請求項１に記載の送信装置。
【請求項４】
前記電子番組表情報に含まれる当該電子番組表情報を取得した時刻に応じて、次に電子番組表情報を取得する電子番組表情報取得時刻を決定する決定部を備え、
前記送信部は、前記電子番組表情報とともに前記決定部により決定された前記電子番組表情報を取得する時刻を示す電子番組表情報取得時刻を前記受信装置に送信する、請求項１に記載の送信装置。
【請求項５】
ネットワークに接続された送信装置から送信される電子番組表情報および前記電子番組表情報を取得する時刻を示す電子番組表情報取得時刻を受信する受信部と、
前記受信部により受信された前記電子番組表情報を被記憶媒体に記録する記録部と、
前記受信部により受信された前記電子番組表情報取得時刻に示される時刻に放送波に含まれる電子番組表情報を取得する取得部と、
前記被記憶媒体に記録された電子番組表情報と、前記取得部により取得された電子番組表情報とを比較して電子番組表情報が変更されたか否かを判断する判断部と、
を備え、
前記記録部は、電子番組表情報が変更されたと前記判断部により判断された場合に、前記取得された電子番組表情報を被記憶媒体に記録する、受信装置。
【請求項６】
前記電子番組表情報には番組の名称および内容を示す番組情報と当該電子番組表情報を取得した時刻を示す時刻情報とが含まれ、
前記受信部は、前記送信装置により前記電子番組表情報に含まれる前記時刻情報のみ送信された場合に、前記被記憶媒体に記録された前記電子番組表情報の前記時刻情報のみを更新する、請求項１に記載の受信装置。
【請求項７】
放送波に含まれる電子番組表情報を取得するステップと、
前記取得された前記電子番組表情報を被記憶媒体に記録するステップと、
前記被記憶媒体に記録された電子番組表情報と、前記取得部により新たに取得された電子番組表情報とを比較して電子番組表情報が変更されたか否かを判断するステップと、
前記電子番組表情報が変更されたと判断された場合に、前記新たに取得された電子番組表情報を、ネットワークを介して接続された１または２以上の受信装置に送信するステップと、を含む、送信方法。
【請求項８】
ネットワークに接続された送信装置から送信される電子番組表情報および前記電子番組表情報を取得する時刻を示す電子番組表情報取得時刻を受信するステップと、
前記受信された前記電子番組表情報を被記憶媒体に記録するステップと、
前記受信された前記電子番組表情報取得時刻に示される時刻に放送波に含まれる電子番組表情報を取得するステップと、
前記被記憶媒体に記録された電子番組表情報と、前記取得部により取得された電子番組表情報とを比較して電子番組表情報が変更されたか否かを判断するステップと、
を含む、受信方法。
【請求項９】
コンピュータを、
放送波に含まれる電子番組表情報を取得する取得部と、
前記取得部により取得された前記電子番組表情報を被記憶媒体に記録する記録部と、
前記被記憶媒体に記録された電子番組表情報と、前記取得部により新たに取得された電子番組表情報とを比較して電子番組表情報が変更されたか否かを判断する判断部と、
前記電子番組表情報が変更されたと前記判断部により判断された場合に、前記新たに取得された電子番組表情報を、ネットワークを介して接続された１または２以上の受信装置に送信する送信部と、を備える送信装置として機能させるためのプログラム。
【請求項１０】
コンピュータを、
ネットワークに接続された送信装置から送信される電子番組表情報および前記電子番組表情報を取得する時刻を示す電子番組表情報取得時刻を受信する受信部と、
前記受信部により受信された前記電子番組表情報を被記憶媒体に記録する記録部と、
前記受信部により受信された前記電子番組表情報取得時刻に示される時刻に放送波に含まれる電子番組表情報を取得する取得部と、
前記被記憶媒体に記録された電子番組表情報と、前記取得部により取得された電子番組表情報とを比較して電子番組表情報が変更されたか否かを判断する判断部と、
を備え、
前記記録部は、電子番組表情報が変更されたと前記判断部により判断された場合に、前記取得された電子番組表情報を被記憶媒体に記録する、受信装置として機能させるためのプログラム。
【請求項１１】
送信装置と受信装置とがネットワークを介して接続されており、
前記送信装置は、
放送波に含まれる電子番組表情報を取得する取得部と、
前記取得部により取得された前記電子番組表情報を被記憶媒体に記録する記録部と、
前記被記憶媒体に記録された電子番組表情報と、前記取得部により新たに取得された電子番組表情報とを比較して電子番組表情報が変更されたか否かを判断する判断部と、
前記電子番組表情報が変更されたと前記判断部により判断された場合に、前記新たに取得された電子番組表情報を、前記受信装置に送信する送信部と、
を備え、
前記受信装置は、
前記送信装置から送信される電子番組表情報および前記電子番組表情報を取得する時刻を示す電子番組表情報取得時刻を受信する受信部と、
前記受信部により受信された前記電子番組表情報を被記憶媒体に記録する記録部と、
前記受信部により受信された前記電子番組表情報取得時刻に示される時刻に放送波に含まれる電子番組表情報を取得する取得部と、
前記被記憶媒体に記録された電子番組表情報と、前記取得部により取得された電子番組表情報とを比較して電子番組表情報が変更されたか否かを判断する判断部と、
を備える、送受信システム。
【発明の詳細な説明】
【技術分野】
【０００１】
本発明は、送信装置、受信装置、送信方法および送信システムおよびプログラムに関し、特に、電子番組表情報を送受信する送信装置、受信装置、送信方法および送信システムおよびプログラムに関する。
【背景技術】
【０００２】
近年、ＥＰＧ（Ｅｌｅｃｔｏｒｏｎｉｃ  Ｐｒｏｇｒａｍ  Ｇｕｉｄｅ）と呼ばれるテレビ番組表を電子化してテレビ画面に表示するシステムが実用化されている。ＥＰＧは、電波の隙間を利用して電子番組表情報を含むデータを送出してレコーダ等の専用端末で受信される。ＥＰＧ情報には、テレビ番組表情報だけでなく、番組開始日時および終了日時、番組名、番組内容、ジャンル名、出演者などの、番組に関する情報などが含まれている。
【０００３】
ＨＤＤ／ＤＶＤレコーダやテレビチューナを備えたパソコンなど、映像や音声からなるデータを記録、再生する記録再生装置のうち、ＥＰＧ情報を利用する機能を有するものは、地上波データ放送やインターネットにより配信されているＥＰＧ情報を受信し、この記録再生装置に接続されたＣＲＴなどの表示装置にＥＰＧを表示することができる。
【０００４】
ユーザが複数の記録再生装置を所有している場合には、複数の記録再生装置それぞれにおいてＥＰＧが受信されることとなる。この場合、複数の記録再生装置各々が独立してテレビジョン放送波から最新のＥＰＧ情報を取得することができる。しかし、ＥＰＧ情報を取得するタイミングは各記録装置により異なる。また、ＥＰＧ情報を取得するのに数十分から１時間程度かかってしまう。したがって、記録再生装置ごとに最新のＥＰＧ情報が異なるものとなってしまうという問題があった。
【０００５】
そこで、複数の記録再生装置でＥＰＧ情報を共有して１台のレコーダが他機の電子番組表情報を参照することにより、複数の記録再生装置が保持するＥＰＧ情報を最新のものとする技術が開示されている（例えば、特許文献１、特許文献２）。
【０００６】
【特許文献１】特開２００５−１７５７８８号公報
【特許文献２】特開２００７−２０８９２７号公報
【発明の開示】
【発明が解決しようとする課題】
【０００７】
しかし、ＥＰＧ情報を取得するためには通常の使用中以外の電力（いわゆる待機電力）が使われる。したがって、各記録再生装置が、１日に一定間隔で何度もＥＰＧ情報を受信することとなれば、ＥＰＧ情報を受信するための待機電力は所有する記録再生装置の台数分だけ増大してしまうという問題があった。
そこで、本発明は、上記問題に鑑みてなされたものであり、本発明の目的とするところは、待機電力を低減させて複数の装置で電子番組表情報を共有化することが可能な、新規かつ改良された送信装置、受信装置、送信方法および送信システムおよびプログラムを提供することにある。
【課題を解決するための手段】
【０００８】
上記課題を解決するために、本発明のある観点によれば、放送波に含まれる電子番組表情報を取得する取得部と、取得部により取得された電子番組表情報を被記憶媒体に記録する記録部と、被記憶媒体に記録された電子番組表情報と、取得部により新たに取得された電子番組表情報とを比較して電子番組表情報が変更されたか否かを判断する判断部と、電子番組表情報が変更されたと判断部により判断された場合に、新たに取得された電子番組表情報を、ネットワークを介して接続された１または２以上の受信装置に送信する送信部と、を備える、送信装置が提供される。
【０００９】
かかる構成によれば、放送波から取得した電子番組表情報と、記憶媒体に記録された電子番組表情報とを比較して、電子番組表情報が変更されている場合に、新たに取得された電子番組表情報をネットワークを介して接続された他の装置に送信する。また、電子番組表情報とともに電子番組表情報を取得する電子番組表情報取得時刻を送信して、送信された電子番組表情報取得時刻に示される時刻に放送波に含まれる電子番組表情報を取得する。
【００１０】
これにより、待機電力を低減させて複数の装置で電子番組表情報を共有化することができる。複数台のレコーダがネットワークを介して接続されている場合には、複数台のレコーダのうちの１台が放送波からＥＰＧ情報を取得して、他のレコーダに当該ＥＰＧ情報を送信する。これにより、放送波からＥＰＧ情報を取得するための電源をオンする回数を低減し、消費電力を削減することが可能となる。
【００１１】
また、取得部は、所定期間の電子番組表情報を取得し、記録部は、取得部により取得された所定期間の電子番組表情報を被記憶媒体に記録し、判断部は、被記憶媒体に記録された所定期間内の電子番組表情報と取得部により新たに取得された電子番組表情報とを比較して、所定期間内の電子番組表情報に変更があるか否かを判断し、送信部は、判断部により所定期間内の電子番組表情報に変更があると判断された場合に、１または２以上の受信装置に電子番組表情報を取得部により取得した直後に送信してもよい。
【００１２】
電子番組表情報には番組の名称および内容を示す番組情報と当該電子番組表情報を取得した時刻を示す時刻情報が含まれ、送信部は、電子番組表情報が変更されていないと判断部により判断された場合に、電子番組表情報に含まれる時刻情報のみを送信するようにしてもよい。
【００１３】
電子番組表情報に含まれる当該電子番組表情報を取得した時刻に応じて、次に電子番組表情報を取得する電子番組表情報取得時刻を決定する決定部を備え、送信部は、電子番組表情報とともに決定部により決定された電子番組表情報を取得する時刻を示す電子番組表情報取得時刻を受信装置に送信するようにしてもよい。
【００１４】
上記課題を解決するために、本発明の別の観点によれば、ネットワークに接続された送信装置から送信される電子番組表情報および電子番組表情報を取得する時刻を示す電子番組表情報取得時刻を受信する受信部と、受信部により受信された電子番組表情報を被記憶媒体に記録する記録部と、受信部により受信された電子番組表情報取得時刻に示される時刻に放送波に含まれる電子番組表情報を取得する取得部と、被記憶媒体に記録された電子番組表情報と、取得部により取得された電子番組表情報とを比較して電子番組表情報が変更されたか否かを判断する判断部と、を備え、記録部は、電子番組表情報が変更されたと判断部により判断された場合に、取得された電子番組表情報を被記憶媒体に記録する受信装置が提供される。
【００１５】
また、電子番組表情報には番組の名称および内容を示す番組情報と当該電子番組表情報を取得した時刻を示す時刻情報とが含まれ、受信部は、送信装置により電子番組表情報に含まれる時刻情報のみ送信された場合に、被記憶媒体に記録された電子番組表情報の時刻情報のみを更新するようにしてもよい。
【００１６】
上記課題を解決するために、本発明の別の観点によれば、放送波に含まれる電子番組表情報を取得するステップと、取得された電子番組表情報を被記憶媒体に記録するステップと、被記憶媒体に記録された電子番組表情報と、取得部により新たに取得された電子番組表情報とを比較して電子番組表情報が変更されたか否かを判断するステップと、電子番組表情報が変更されたと判断された場合に、新たに取得された電子番組表情報を、ネットワークを介して接続された１または２以上の受信装置に送信するステップと、を含む、送信方法が提供される。
【００１７】
上記課題を解決するために、本発明の別の観点によれば、ネットワークに接続された送信装置から送信される電子番組表情報および電子番組表情報を取得する時刻を示す電子番組表情報取得時刻を受信するステップと、受信された電子番組表情報を被記憶媒体に記録するステップと、受信された電子番組表情報取得時刻に示される時刻に放送波に含まれる電子番組表情報を取得するステップと、被記憶媒体に記録された電子番組表情報と、取得部により取得された電子番組表情報とを比較して電子番組表情報が変更されたか否かを判断するステップと、を含む、受信方法が提供される。
【００１８】
上記課題を解決するために、本発明の別の観点によれば、コンピュータを、放送波に含まれる電子番組表情報を取得する取得部と、取得部により取得された電子番組表情報を被記憶媒体に記録する記録部と、被記憶媒体に記録された電子番組表情報と、取得部により新たに取得された電子番組表情報とを比較して電子番組表情報が変更されたか否かを判断する判断部と、電子番組表情報が変更されたと判断部により判断された場合に、新たに取得された電子番組表情報を、ネットワークを介して接続された１または２以上の受信装置に送信する送信部と、を備える送信装置として機能させるためのプログラムが提供される。
【００１９】
上記課題を解決するために、本発明の別の観点によれば、コンピュータを、ネットワークに接続された送信装置から送信される電子番組表情報および電子番組表情報を取得する時刻を示す電子番組表情報取得時刻を受信する受信部と、受信部により受信された電子番組表情報を被記憶媒体に記録する記録部と、受信部により受信された電子番組表情報取得時刻に示される時刻に放送波に含まれる電子番組表情報を取得する取得部と、被記憶媒体に記録された電子番組表情報と、取得部により取得された電子番組表情報とを比較して電子番組表情報が変更されたか否かを判断する判断部と、を備え、記録部は、電子番組表情報が変更されたと判断部により判断された場合に、取得された電子番組表情報を被記憶媒体に記録する、受信装置として機能させるためのプログラムが提供される。
【００２０】
上記課題を解決するために、本発明の別の観点によれば、送信装置と受信装置とがネットワークを介して接続されており、送信装置は、放送波に含まれる電子番組表情報を取得する取得部と、取得部により取得された電子番組表情報を被記憶媒体に記録する記録部と、被記憶媒体に記録された電子番組表情報と、取得部により新たに取得された電子番組表情報とを比較して電子番組表情報が変更されたか否かを判断する判断部と、電子番組表情報が変更されたと判断部により判断された場合に、新たに取得された電子番組表情報を、受信装置に送信する送信部と、を備え、受信装置は、送信装置から送信される電子番組表情報および電子番組表情報を取得する時刻を示す電子番組表情報取得時刻を受信する受信部と、受信部により受信された電子番組表情報を被記憶媒体に記録する記録部と、受信部により受信された電子番組表情報取得時刻に示される時刻に放送波に含まれる電子番組表情報を取得する取得部と、被記憶媒体に記録された電子番組表情報と、取得部により取得された電子番組表情報とを比較して電子番組表情報が変更されたか否かを判断する判断部と、を備える、送受信システムが提供される。
【発明の効果】
【００２１】
以上説明したように本発明によれば、待機電力を低減させて複数の装置で電子番組表情報を共有化することができる。
【発明を実施するための最良の形態】
【００２２】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２３】
また、以下に示す順序に従って当該「発明を実施するための最良の形態」を説明する。
〔１〕本実施形態の目的
〔２〕送受信システムの概要
〔３〕送信装置／受信装置の内部構造
〔４〕送信装置／受信装置の機能構成
〔５〕送受信システムの動作
【００２４】
〔１〕本実施形態の目的
まず、本発明の実施形態の目的について説明する。近年、ＥＰＧ（Ｅｌｅｃｔｏｒｏｎｉｃ  Ｐｒｏｇｒａｍ  Ｇｕｉｄｅ）と呼ばれるテレビ番組表を電子化してテレビ画面に表示するシステムが実用化されている。ＥＰＧでは、電波の隙間を利用して電子番組表情報を含むデータを送出してレコーダ等の専用端末で受信される。ＥＰＧ情報（電子番組表情報とも称する。）には、テレビ番組表情報だけでなく、番組開始日時および終了日時、番組名、番組内容、ジャンル名、出演者などの、番組に関する情報などが含まれている。
【００２５】
ＨＤＤ／ＤＶＤレコーダやテレビチューナを備えたパソコンなど、映像や音声からなるデータを記録、再生する記録再生装置のうち、ＥＰＧ情報を利用する機能を有するものは、地上波データ放送やインターネットにより配信されているＥＰＧ情報を受信し、この記録再生装置に接続されたＣＲＴなどの表示装置にＥＰＧを表示することができる。
【００２６】
ユーザが複数の記録再生装置を所有している場合には、複数の記録再生装置それぞれにおいてＥＰＧ情報が受信されることとなる。この場合、複数の記録再生装置各々が独立してテレビジョン放送波から最新のＥＰＧを取得することができる。しかし、ＥＰＧ情報を取得するタイミングは各記録装置により異なる。また、ＥＰＧ情報を取得するのに数十分から１時間程度かかってしまう。そこで、複数の記録再生装置でＥＰＧを共有して１台のレコーダが他機の電子番組表情報を参照することにより、複数の記録再生装置が保持するＥＰＧ情報を最新のものとする技術が開示されている。
【００２７】
しかし、ＥＰＧ情報を取得するためには通常の使用中以外の電力（いわゆる待機電力）が使われる。したがって、各記録再生装置が、１日に一定間隔何度もＥＰＧ情報を受信することとなれば、ＥＰＧ情報を受信するための待機電力は所有する記録再生装置の台数分だけ増大してしまうという問題があった。そこで、上記のような事情を一着眼点として、本発明の実施形態にかかる送受信システム１が創作されるに至った。本実施形態にかかる送受信システム１によれば、待機電力を低減させて複数の装置で電子番組表情報を共有化することができる。
【００２８】
〔２〕送受信システムの概要
【００２９】
まず、図１０を参照して、従来のテレビジョン受像機におけるＥＰＧ情報の取得方法について説明する。図１０では、テレビジョン受像機に直接複数台のレコーダを接続した場合の、ＥＰＧ情報の取得方法について説明している。従来、視聴しているチャンネル以外のチャンネルのＥＰＧ情報を取得するためには、ＥＰＧの再生周期が遅いために長い時間を要していた。したがって、テレビジョン受像機の電源を入れてから、視聴中のチャンネル以外のチャンネルのＥＰＧの表示がされるまでに時間がかかっていた。
【００３０】
また、このように長い時間をかけてすべてのチャンネルのＥＰＧ情報を取得しても、取得したＥＰＧ情報を蓄積したり保持したりしておくためには大容量のメモリ（揮発性メモリ及び不揮発性メモリ）が必要であった。また、電源をオフしてしまうとＥＰＧ情報は消えてしまうため、電源をオンするたびに再度ＥＰＧ情報を取得しなければならなかった。
【００３１】
そこで、一度取得したＥＰＧ情報を不揮発性メモリに記憶しておくことが考えられる。いったん電源オフした後に再度電源を入れた場合、取得に時間のかかるＥＰＧ情報を不揮発性メモリに蓄積されたＥＰＧ情報から取得する。これにより、素早くＥＰＧ情報を表示することが可能となる。
【００３２】
図１０に示したように、テレビジョン受像機の電源がＯＮであった場合に（Ｓ３０２）、テレビジョン受像機のＥＰＧ情報をロードしてＥＰＧ記憶部に保存する（Ｓ３０４）。そして、レコーダの接続がある場合には（Ｓ３０６）、各レコーダにＥＰＧ情報を送信して、各レコーダのＥＰＧ記憶部に保存する（Ｓ３０８）。そして、テレビジョン受像機の電源がオフであった場合には（３１０）、レコーダに記憶されているＥＰＧ情報を取得する（Ｓ３１２）。
【００３３】
しかし、上記のような方法を利用しても、電源をオフする前に取得されていなかったＥＰＧ情報は、不揮発性メモリに記憶されていないため、電源を入れた後に放送波からＥＰＧ情報を取得する必要がある。次に、テレビジョン受像機の電源がオフになった後は、レコーダから共有化したＥＰＧ情報を転送する。また、テレビジョン受像機の電源をオフしてから次に電源を入れるまでに長い時間が経過している場合には、不揮発性メモリに記憶されているＥＰＧ情報は古いデータになっている。
【００３４】
したがって、表示したい番組のＥＰＧ情報が不揮発性メモリに記憶されているＥＰＧ情報に含まれていない場合や、放送スケジュールが変更になり変更後のＥＰＧ情報が含まれていない可能性がある。この場合には、最新のＥＰＧ情報を取得するために、結局、従来通り、電源を入れた後に放送波からＥＰＧ情報を取得しなければならず、最新のＥＰＧ情報の表示に時間がかかるという問題が発生する。
【００３５】
そこで、本実施形態では、図１に示したように、テレビジョン受像機（ＴＶ）４０にネットワークハブ（Ｎｅｔ  Ｗｏｒｋ  Ｈｕｂ）５０を介して複数台のレコーダ（Ａ１〜Ａ４）を接続する送受信システム１を提案している。送受信システム１によれば、レコーダにより取得された最新のＥＰＧ情報をネットワーク経由で共有することが可能となる。さらに、各レコーダの電源オン回数を減らして待機電力を低減するこが可能となる。以下、送受信システム１の詳細について説明する。
【００３６】
〔３〕送信装置および受信装置の内部構造
まず、本実施形態にかかる送信装置１００および受信装置２００の内部構造について説明する。図２は送信装置１００および受信装置２００の一例であるレコーダ（Ａ（１）〜Ａ（４））（以下レコーダＡと称する）の内部構造を示すブロック図である。図２に示したように、レコーダＡは、主に、アンテナ１０、１１、ＣＰＵ１２、ＢＳ／ＣＳデジタルチューナ１６、地上波デジタルチューナ１７、ＲＯＭ１８、ＲＡＭ１９、ネットワークＩ／Ｆ部２０、フロントディスプレイ（Ｆｒｏｎｔ  Ｄｉｓｐｌａｙ）２１、タイマ（Ｔｉｍｅｒ）２２、Ｓｕｂμ―ＣＯＭ２３、アウトプットセレクタ(Ｏｕｔｐｕｔ  Ｓｅｌｅｃｔｅｒ)２５、デコーダ（Ｄｅｃｏｄｅｒ）２６、インプットセレクタ（Ｉｎｐｕｔ  Ｓｅｌｅｃｔｅｒ）２７、エンコーダ（Ｅｎｃｏｄｅｒ）２８
【００３７】
アンテナ１０は、ＢＳ／ＣＳデジタル放送波を受信して、周波数変換した信号をＢＳ／ＣＳチューナ１６に提供する。アンテナ１１は、地上波デジタル放送波を受信して、周波数変換した信号を地上波デジタルチューナに提供する。ＢＳ／ＣＳデジタルチューナ１６および地上波デジタルチューナは、受信した高周波デジタル変調信号のうちから特定の周波数の信号を取り出す。
【００３８】
ＲＯＭ１８、ＲＡＭ１９などのメモリには、ＣＰＵ１２により実行されるプログラムや番組情報、ユーザ入力情報、番組予約情報などが格納される。ＣＰＵ１２は、ＲＯＭ１８に記憶されたプログラムにしたがって、レコーダＡの処理動作を制御する。
【００３９】
最近のネットワーク環境では、放送波からＥＰＧ情報を取得するよりも速くＥＰＧ情報を取得することができる。そこで、本実施形態では、レコーダＡの一部（ネットワークＩ／Ｆ部２０、フロントディスプレイ２１、タイマ２２、Ｓｕｂμ―ＣＯＭ２３）を低電力で常時電源オンとする。
【００４０】
Ｓｕｂμ―ＣＯＭ２３は、ＥＰＧ情報を取得するために、裏電源をオンするタイミングを各レコーダでプログラムする機能を有する。ここで、裏電源とは、ユーザ入力によりレコーダの電源がオンにされていない場合に、ＥＰＧ情報を取得するためにレコーダによりオンされる電源をいう。通常、２時間おきに放送波からＥＰＧ情報を取得すると仮定すると、１台のレコーダがＥＰＧ情報を取得後２時間ごとに他レコーダが順次にＥＰＧ情報を取得することとなる。
【００４１】
例えば、レコーダが４台ネットワークに接続されている場合には、最初にＥＰＧ情報を取得したレコーダは、８時間後に電源オンにすればよいこととなる。そして、自身がＥＰＧ情報を取得していない場合には、短時間でネットワーク経由によりＥＰＧ情報を共有化することが可能となる。このように、本実施形態では、複数台のレコーダを使用する場合に、裏電源オンの待機電力を大幅に削減することができる。
【００４２】
次に、図３を参照して、レコーダＡによる放送波からのＥＰＧ情報の取得について説明する。ＢＳ／ＣＳデジタルチューナのアンテナ１０により受信されたＢＳ／ＣＳデジタル放送波が、周波数変換されてＢＳ／ＣＳデジタルチューナ１６に提供される。また、地上波デジタルチューナのアンテナ１１により受信された地上波デジタル放送波が、周波数変換された地上波デジタルチューナ１７に提供される。
【００４３】
ＢＳ／ＣＳデジタルチューナ１６および地上波デジタルチューナ１７により特定の周波数が取り出され、マルチプレクサ３３に提供される。マルチプレクサ３３は、ＢＳ／ＣＳデジタルチューナ１６および地上波デジタルチューナ１７により提供された２つの信号を１つの信号に合成して、ＣＰＵ１２に提供する。ＣＰＵ１２は、提供された信号（ストリーム）を、番組情報等を含むＰＳＩ／ＳＩと映像・音声等を含むＡＶストリームと文字等のデータストリームとに分離する。そして、Ｓｕｂμ―ＣＯＭ２３は、ＰＳＩ／ＳＩをＥＰＧ情報記憶部２９に記憶する。以上、レコーダＡによる放送波からのＥＰＧ情報の取得について説明した。
【００４４】
〔４〕送信装置／受信装置の機能構成
次に、図４を参照して、本実施形態にかかる送信装置１００および受信装置２００の機能構成について説明する。上記したように、送信装置１００および受信装置２００としては、レコーダＡを例示できる。レコーダＡは、送信装置１００または受信装置２００として機能させてもよいし、送信装置１００および受信装置２００の機能を備えていてもよい。
【００４５】
図４に示したように、送信装置１００は、取得部１０２、判断部１０４、記録部１０６、記憶媒体１０８、送信部１１０などを備える。また、受信装置２００は、取得部２０２、受信部２０４、判断部２０６、記録部２０８、記憶媒体２１０などを備える。
【００４６】
取得部１０２は、放送波に含まれる電子番組表情報を取得する機能を有する。取得部１０２は、上記したＣＰＵ１２やＳｕｂμ―ＣＯＭ２３を例示でき、上記したアンテナ１０または１１により受信され、チューナ等によって取り出された特定の周波数から電子番組表情報を抽出する機能を有する。
【００４７】
電子番組表情報は、共通部分と固有情報部分を有している。共通部分には、番組の名称や放送日時、番組内容の説明等を含むイベント情報テーブル、現在の日付時刻を含む時刻オフセットテーブル、編成チャンネルの名称と情報を含むサービス記述テーブルなどが含まれる。また、固有情報部分には、各レコーダにおいて設定される予約録画情報などが含まれる。
【００４８】
記録部１０６は、取得部１０２により取得された電子番組表情報を記憶媒体１０８に記録する機能を有する。記録部１０６は、上記したＳｕｂμ―ＣＯＭ２３を例示できる。記録部１０６は、放送波から取得した共通部分と、レコーダで設定された固有情報部分とにわけて、記憶媒体１０８に記憶するようにしてもよい。
【００４９】
判断部１０４は、記憶媒体１０８に記録された電子番組表情報と、取得部１０２により取得された電子番組表情報とを比較して、電子番組表情報が変更されたか否かを判断する機能を有する。判断部１０４としては、上記したＳｕｂμ―ＣＯＭ２３を例示できる。そして、送信部１１０は、電子番組表情報が変更されたと判断部により判断された場合に、新たに取得した電子番組表情報を、ネットワークを介して接続された受信装置２００に送信する。図４では、受信装置２００のみが送信装置１００に接続しているが、かかる例に限定されず、複数台の受信装置が送信装置１００に接続されていてもよい。
【００５０】
通常、電子番組表情報は８日間分の情報が取得される。例えば、８日間分のデータに急な変更がない場合には、判断部１０４により電子番組表情報に変更がないと判断され、送信部１１０による送信が行われない。一方、９日目のデータが発生し、電子番組表情報に変更があったと判断部１０４により判断された場合には、送信部１１０によりデータの差分のみ受信装置２００に送信される。この場合、送信部１１０は、電子番組表情報を、取得部１０２により取得した直後に送信するようにしてもよい。
【００５１】
決定部１０９は、電子番組表情報に含まれる電子番組表情報を取得した時刻に応じて、次に電子番組表情報を取得する電子番組表情報取得時刻を決定する機能を有する。決定部１０９は、上記したＳｕｂμ―ＣＯＭ２３を例示できる。例えば、送信装置１００に３台の受信装置２００が接続され、２時間おきに電子番組表情報を取得する場合には、最初に電子番組表情報を取得した時刻から８時間後に電子番組表情報取得時刻を設定する。
【００５２】
また、受信装置２００ごとに、電子番組表情報取得時刻を設定することができる。例えば、送信装置１００に３台の受信装置２００が接続され、２時間おきに電子番組表情報を取得する場合には、送信装置１００の電子番組表情報取得時刻に２時間加えた時刻、４時間加えた時刻、６時間加えた時刻をそれぞれ電子番組表情報取得時刻に設定するようにしてもよい。
【００５３】
そして、送信部１１０は、電子番組表情報とともに、決定部１０９により決定された電子番組表情報を取得する時刻を示す電子番組表情報取得時刻を受信装置２００に送信する。以上、送信装置１００の機能構成について説明した。次に、受信装置２００の機能構成について説明する。
【００５４】
図４に示したように、受信装置２００は、取得部２０２、受信部２０４、判断部２０６、記録部２０８、記憶媒体２１０などを備える。受信部２０４は、ネットワークに接続された送信装置から送信される電子番組表情報および電子番組表情報を取得する時刻を示す電子番組表情報取得時刻を受信する機能を有する。
【００５５】
記録部２０８は、受信部２０４により受信された電子番組表情報を記憶媒体に記録する機能を有する。取得部２０２は、受信部２０４により受信された電子番組表情報取得時刻に示される時刻に放送波に含まれる電子番組表情報を取得する機能を有する。
【００５６】
判断部２０６は、被記憶媒体に記録された電子番組表情報と、取得部２０２により取得された電子番組表情報とを比較して電子番組表情報が変更されたか否かを判断する機能を有する。そして、記録部２０８は、電子番組表情報が変更されたと判断部２０６により判断された場合に、取得した電子番組表情報を記憶媒体に記録する機能を有する。以上、受信装置２００の機能構成について説明した。
【００５７】
本実施形態では、送信装置１００と受信装置２００とが別体の装置としたが、かかる例に限定されない。例えば、送信装置１００と受信装置２００とが一体の装置であってもよい。すなわち、送信装置１００および受信装置２００として例示できるレコーダが、送信装置１００および受信装置２００の機能を備え、複数台のレコーダがネットワークを介して接続されるようにしてもよい。
【００５８】
次に、図５〜図７を参照して、４台のレコーダがネットワークを介して接続されている場合の電子番組表情報（ＥＰＧ情報）の取得とレコーダの裏電源オン（ＯＮ）について説明する。
【００５９】
図５は、従来の放送波からのＥＰＧ情報の取得方法と裏電源オンサイクルについて説明する説明図である。図５に示したように、レコーダＡ（１）〜Ａ（４）は、それぞれ、ＥＰＧ情報の取得周期に裏電源をオンにして、放送波からＥＰＧ情報を取得している。ＥＰＧ情報は、ユーザが使用中以外のレコーダの待機時に定期的に裏電源がオンされて放送波から取得される。したがって、ＥＰＧ情報の周期には、４台分の待機電力が消費されることとなる。
【００６０】
本実施形態では、レコーダＡ（１）〜Ａ（４）のいずれか１台により取得されたＥＰＧ情報をネットワーク経由で送受信することにより、無駄な電源をオンする回数を低減して、消費電力を削減することが可能となる。例えば、図６に示したように、レコーダＡ（１）〜Ａ（４）の各レコーダは、数時間おきにＥＰＧ情報を放送波から取得する。つまり、各レコーダは、最初のＥＰＧ取得から次のＥＰＧ情報取得までの時間間隔を通常の時間の４倍とすることが可能となり、裏電源オンする回数を減らすことができる。例えば、２時間ごとにＥＰＧ情報を取得する必要がある場合には、レコーダＡ（１）〜レコーダＡ（４）は、最初にＥＰＧ情報を放送波から取得した後、８時間後にＥＰＧ情報を放送波から取得すればよいこことなる。
【００６１】
また、図７に示したように、レコーダＡ（１）〜Ａ（４）は、２時間ごとにＥＰＧ情報を最新化するために、いずれか１台で取得したＥＰＧ情報を他のレコーダに送信したり、ＥＰＧ情報を他のレコーダから受信したりしている。例えば、レコーダＡ（１）が放送波からＥＰＧ情報取得（１）した場合には、ネットワークを介してレコーダＡ（２）〜Ａ（４）にＥＰＧ情報を送信する。そして、レコーダＡ（２）〜Ａ（４）は、ネットワークを介してレコーダＡ（１）からＥＰＧ情報を受信する。
【００６２】
次に、レコーダＡ（２）が放送波からＥＰＧ情報取得（２）し、ネットワークを介してレコーダＡ（１）、Ａ（３）、Ａ（４）にＥＰＧ情報を送信する。そして、レコーダＡ（１）、Ａ（３）、Ａ（４）は、ネットワークを介してレコーダＡ（２）からＥＰＧ情報を受信する。さらに、レコーダＡ（３）が放送波からＥＰＧ情報取得（３）し、ネットワークを介してレコーダＡ（１）、Ａ（２）、Ａ（４）にＥＰＧ情報を送信する。そして、レコーダＡ（１）、Ａ（２）、Ａ（４）は、ネットワークを介してレコーダＡ（３）からＥＰＧ情報を受信する。
【００６３】
さらに、レコーダＡ（４）が放送波からＥＰＧ情報取得（４）し、ネットワークを介してレコーダＡ（１）〜Ａ（３）にＥＰＧ情報を送信する。そして、レコーダＡ（１）〜Ａ（３）は、ネットワークを介してレコーダＡ（４）からＥＰＧ情報を受信する。このように、順次にＥＰＧ情報が取得され、取得されたＥＰＧ情報が他のレコーダに送信されることにより、裏電源オンの回数を減らして待機電力を低減させて、複数の装置でＥＰＧ情報を共有化することが可能となる。
【００６４】
各レコーダは、変更があった場合にのみＥＰＧ情報を他のレコーダに送信するようにしてもよい。例えば、各レコーダが８日間分のＥＰＧ情報を取得するとする。この場合、８日間のＥＰＧデータに急な変更がない場合には、当該ＥＰＧデータを他のレコーダに送信しない。また取得したＥＰＧ情報に９日目のＥＰＧデータが発生し、現在保持しているＥＰＧデータに変更がある場合には、データの差分を転送する。ただし、ＥＰＧ情報に含まれる時刻情報は更新されるため、当該時刻情報は必ず送信する。
【００６５】
また、各レコーダは、ＥＰＧ情報や時刻情報を送信するとともに、送信先のレコーダが次にＥＰＧ情報を放送波から取得する時刻を送信する。これにより、ＥＰＧ情報等を受信したレコーダは、送信された時刻を元にＥＰＧ情報を放送波から取得することができる。したがって、複数台のレコーダがネットワークを介して接続されている場合に、定間隔で順次にＥＰＧ情報を取得することが可能となる。
【００６６】
また、ＥＰＧ情報の重要度に応じて他のレコーダに送信するか否かを判断するようにしてもよい。例えば、ＥＰＧ情報に重要な情報が含まれている場合には、緊急度が高いため、他のレコーダにすぐにネットワークを介してＥＰＧ情報を送信する。ＥＰＧ情報に重要な情報が含まれていない場合には、緊急度が低いため、他のレコーダがネットワークに接続したり電源がオンになったときにＥＰＧ情報を送信するようにしてもよい。
上記したように、ＥＰＧ情報には、テレビ番組表情報だけでなく、番組開始日時および終了日時、番組名、番組内容、ジャンル名、出演者などの、番組に関する情報などが含まれている。その他、どの放送波か、どのチャンネルか等の情報も含まれている。例えば、緊急の番組編成によりＥＰＧ情報に一部が変更となった場合には重要度が高いと考えられ、他のレコーダにＥＰＧ情報を転送する必要がある。また、生放送の番組の放送日時、番組名、ジャンルあるいは出演者名の変更に対応するため、番組内容が一部変更された場合には、重要度が高いと考えられ、他のレコーダに転送する必要がある。
【００６７】
最初にＥＰＧ情報を取得した後、次にＥＰＧ情報を取得するまでの時間間隔を空けるとＥＰＧ情報に含まれる時刻情報が一部欠落するため、時刻情報は常時ネットワークから取得する必要がある。そこで、各レコーダは、ＥＰＧ情報を取得すると、ＥＰＧ情報に変更がなくとも、すぐにネットワークを介して各レコーダにＥＰＧ情報の時刻情報を送信する。これにより、各レコーダは、放送波からＥＰＧ情報取得の時間間隔を通常よりあけても、ネットワークを介して最新の番組情報と時刻情報を取得することが可能となる。
【００６８】
通常、放送波からのＥＰＧ情報を取得するためのデータ転送速度は最大８０Ｍｂｐｓであるが、ＥＰＧ情報取得にかかる実際のデータ転送速度は数１０Ｍｂｐｓである。一方、ネットワークを介したデータ転送速度は、最大１００Ｍｂｐｓであり、放送波からのＥＰＧ情報取得よりも数倍速いと考えられる。したがって、放送波からのＥＰＧ情報取得回数を最小限にし、ネットワークを介してＥＰＧ情報を送受信することにより、データ転送にかかる消費電力を低減することが可能となる。以上、４台のレコーダがネットワークを介して接続されている場合の電子番組表情報（ＥＰＧ情報）の取得とレコーダの裏電源オン（ＯＮ）について説明した。
【００６９】
〔５〕送受信システムの動作
次に、図８を参照して、Ｉ台のレコーダがネットワークを介して接続されている場合のＥＰＧ情報の送信方法について説明する。図８は、ＥＰＧ情報の送信方法について説明するフローチャートである。図８に示したように、まず、レコーダが１台目であることを示すため、Ｉ＝１をセットする（Ｓ１０２）。次に、Ｉが４より大きいか否かを判定する（Ｓ１０４）。Ｉが４より小さい場合には、レコーダＡ（Ｉ）の裏電源をオンにする指示があるか否かを判定する（Ｓ１０６）。Ｉが４より大きい場合には、Ｉ＝１を再度セットする（Ｓ１０２）。
【００７０】
ステップＳ１０６において、レコーダＡ（Ｉ）の裏電源をオンにする指示があったと判定された場合には、レコーダＡ（Ｉ）の裏電源をオンにする（Ｓ１０８）。そして、放送波から取得した自機ＥＰＧの情報をＥＰＧ情報記憶部（記憶媒体１０８）に保存する（Ｓ１１０）。次に、接続されている他のレコーダがあるか否かを判定する（Ｓ１１２）。ステップＳ１１２において、接続されている他のレコーダがあると判定された場合には、他機にＥＰＧ情報を送信し、次に裏電源をオンにするレコーダ番号を送信する（Ｓ１１４）。
【００７１】
そして、レコーダＡ（Ｉ）の裏電源をオフにする（Ｓ１１６）。そして、レコーダＡ（Ｉ）の裏電源がオフか否かを判定する（Ｓ１１８）。ステップＳ１１８において裏電源がオフであると判定された場合には、Ｉに１を加算（Ｉ＝Ｉ＋１）する（Ｓ１２０）。そして、ステップＳ１０６〜ステップＳ１１８の処理を繰り返す。以上、Ｉ台のレコーダがネットワークを介して接続されている場合のＥＰＧ情報の送信方法について説明した。次に、ＥＰＧ情報の差分の送信について説明する。
【００７２】
図９は、レコーダにおけるＥＰＧ情報の差分の送信について説明するフローチャートである。図９に示したように、まず、裏電源オンされたレコーダは、放送波から８日間のＥＰＧ情報を取得する（Ｓ２０２）。そして、既に記憶媒体に記録しているＥＰＧ情報とステップＳ２０２において取得したＥＰＧ情報とを比較する（Ｓ２０４）。ステップＳ２０４において比較した結果、９日目のＥＰＧ情報が発生したか否かを判定する（Ｓ２０６）。
【００７３】
ステップＳ２０６において、９日目のＥＰＧ情報が発生していないと判定された場合には、８日間のＥＰＧ情報に変更があったか否かを判定する（Ｓ２０８）。ステップＳ２０８において、８日間のＥＰＧ情報に変更があったと判定された場合にはステップＳ２１０以降の処理を行う。一方、ステップＳ２０８において、８日間のＥＰＧ情報に変更がなかったと判定された場合には、処理を終了する。
【００７４】
ステップＳ２０６において、９日目のＥＰＧ情報が発生していると判定された場合には、ＥＰＧ情報の差分を取得する（Ｓ２１０）。そして、ステップＳ２１０において取得したＥＰＧ情報の差分を他のレコーダに送信する（Ｓ２１２）。上記したように、ＥＰＧ情報の差分がなくとも、時刻情報は他のレコーダに送信される。以上、レコーダにおけるＥＰＧ情報の差分の送信について説明した。
【００７５】
本実施形態にかかる送受信システム１によれば、放送波から取得した電子番組表情報と、記憶媒体に記録された電子番組表情報とを比較して、電子番組表情報が変更されている場合に、新たに取得された電子番組表情報をネットワークを介して接続された他の装置に送信する。また、電子番組表情報とともに電子番組表情報を取得する電子番組表情報取得時刻を送信して、送信された電子番組表情報取得時刻に示される時刻に放送波に含まれる電子番組表情報を取得する。
【００７６】
これにより、待機電力を低減させて複数の装置で電子番組表情報を共有化することができる。複数台のレコーダがネットワークを介して接続されている場合には、複数台のレコーダのうちの１台が放送波からＥＰＧ情報を取得して、他のレコーダに当該ＥＰＧ情報を送信する。これにより、放送波からＥＰＧ情報を取得するための電源をオンする回数を低減し、消費電力を削減することが可能となる。
【００７７】
また、ＥＰＧ情報は、取得した日から１週間先までの計８日分の番組情報をテレビジョン画面に表示し、視聴予約・録画予約、ジャンル別検索等を行うことができ、マルチ編成や放送時間の変更にもほぼリアルタイムで対応することが可能となる。上記したように、８日分の後の９日目のＥＰＧ情報が発生した場合のみならず、８日間のＥＰＧ情報に変更があった場合、すなわち急な変更にも対応することができる。これにより、例えば、スポーツ中継が延伸されて後の番組の放送時間が変更となった場合にも対応することが可能となる。
【００７８】
本実施形態では、複数台のレコーダのうち、定期的に１台のレコーダのみの電源をオンにしてＥＰＧ情報を放送波から取得して、変更があった場合にのみ他のレコーダに送信する。これにより、レコーダ１台の電源オン回数を低減させ、さらにネットワーク経由でデータを送信することにより、消費電力を低減させるとともに、複数の装置で電子番組表情報を共有化することが可能となる。
【００７９】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００８０】
例えば、上記実施形態では、複数台のレコーダを順次に電源オンとする構成としたが、本発明はかかる例に限定されない。例えば、１台のレコーダだけを常時電源オンにして、ＥＰＧ情報を取得するために起動させるようにしてもよい。または、ＥＰＧ情報を取得するサーバから、ネットワークを介してすべてのレコーダがＥＰＧ情報を取得するようにしてもよい。この場合でも上記実施形態と同様の効果を得ることが可能となる。
【図面の簡単な説明】
【００８１】
【図１】本発明の一実施形態にかかる送受信システムの概要を示す説明図である。
【図２】同実施形態にかかるレコーダの内部構造を示すブロック図である。
【図３】同実施形態にかかるレコーダによる放送波からのＥＰＧ情報の取得について説明する説明図である。
【図４】同実施形態にかかる送信装置および受信装置の機能構成を示すブロック図である。
【図５】同実施形態にかかる電子番組表情報の取得とレコーダの裏電源オンについて説明する説明図である。
【図６】同実施形態にかかる電子番組表情報の取得とレコーダの裏電源オンについて説明する説明図である。
【図７】同実施形態にかかる電子番組表情報の取得とレコーダの裏電源オンについて説明する説明図である。
【図８】同実施形態にかかるＥＰＧ情報の送信方法について説明するフローチャートである。
【図９】同実施形態にかかるレコーダにおけるＥＰＧ情報の差分の送信について説明するフローチャートである。
【図１０】従来の従来のテレビジョン受像機におけるＥＰＧ情報の取得方法について説明する説明図である。
【符号の説明】
【００８２】
１００    送信装置
１０２    取得部
１０４    判断部
１０６    記録部
１０８    記憶媒体
１０９    決定部
１１０    送信部
２００    受信装置
２０２    取得部
２０４    受信部
２０６    判断部
２０８    記録部
２１０    記憶媒体
【図１】
2010028375.tif 000003
【図２】
2010028375.tif 000004
【図３】
2010028375.tif 000005
【図４】
2010028375.tif 000006
【図５】
2010028375.tif 000007
【図６】
2010028375.tif 000008
【図７】
2010028375.tif 000009
【図８】
2010028375.tif 000010
【図９】
2010028375.tif 000011
【図１０】
2010028375.tif 000012
【手続補正書】
【提出日】平成21年9月3日(2009.9.3)
【手続補正１】
【補正対象書類名】特許請求の範囲
【補正対象項目名】全文
【補正方法】変更
【補正の内容】
【特許請求の範囲】
【請求項１】
放送波に含まれる電子番組表情報を取得する取得部と、
前記取得部により取得された前記電子番組表情報を被記憶媒体に記録する記録部と、
前記被記憶媒体に記録された前記電子番組表情報と、前記取得部により新たに取得された電子番組表情報とを比較して前記電子番組表情報が変更されたか否かを判断する判断部と、
前記電子番組表情報が変更されたと前記判断部により判断された場合に、前記新たに取得された電子番組表情報を、ネットワークを介して接続された１または２以上の受信装置に送信する送信部と、
を備える、送信装置。
【請求項２】
前記取得部は、所定期間の前記電子番組表情報を取得し、
前記記録部は、前記取得部により取得された所定期間の前記電子番組表情報を被記憶媒体に記録し、
前記判断部は、前記被記憶媒体に記録された所定期間内の電子番組表情報と前記取得部により新たに取得された前記電子番組表情報とを比較して、前記所定期間内の電子番組表情報に変更があるか否かを判断し、
前記送信部は、前記判断部により前記所定期間内の電子番組表情報に変更があると判断された場合に、前記１または２以上の受信装置に前記電子番組表情報を前記取得部により取得した直後に送信する、請求項１に記載の送信装置。
【請求項３】
前記電子番組表情報には番組の名称および内容を示す番組情報と当該電子番組表情報を取得した時刻を示す時刻情報が含まれ、
前記送信部は、前記電子番組表情報が変更されていないと前記判断部により判断された場合に、前記電子番組表情報に含まれる前記時刻情報のみを送信する、請求項１に記載の送信装置。
【請求項４】
前記電子番組表情報に含まれる当該電子番組表情報を取得した時刻に応じて、次に電子番組表情報を取得する電子番組表情報取得時刻を決定する決定部を備え、
前記送信部は、前記電子番組表情報とともに前記決定部により決定された前記電子番組表情報を取得する時刻を示す電子番組表情報取得時刻を前記受信装置に送信する、請求項１に記載の送信装置。
【請求項５】
ネットワークに接続された送信装置から送信される電子番組表情報および前記電子番組表情報を取得する時刻を示す電子番組表情報取得時刻を受信する受信部と、
前記受信部により受信された前記電子番組表情報を被記憶媒体に記録する記録部と、
前記受信部により受信された前記電子番組表情報取得時刻に示される時刻に放送波に含まれる電子番組表情報を取得する取得部と、
前記被記憶媒体に記録された電子番組表情報と、前記取得部により取得された電子番組表情報とを比較して電子番組表情報が変更されたか否かを判断する判断部と、
を備え、
前記記録部は、電子番組表情報が変更されたと前記判断部により判断された場合に、前記取得された電子番組表情報を被記憶媒体に記録する、受信装置。
【請求項６】
前記電子番組表情報には番組の名称および内容を示す番組情報と当該電子番組表情報を取得した時刻を示す時刻情報とが含まれ、
前記受信部は、前記送信装置により前記電子番組表情報に含まれる前記時刻情報のみ送信された場合に、前記被記憶媒体に記録された前記電子番組表情報の前記時刻情報のみを更新する、請求項５に記載の受信装置。
【請求項７】
放送波に含まれる電子番組表情報を取得するステップと、
前記取得された前記電子番組表情報を被記憶媒体に記録するステップと、
前記被記憶媒体に記録された電子番組表情報と、前記電子番組表情報を取得するステップにより新たに取得された電子番組表情報とを比較して電子番組表情報が変更されたか否かを判断するステップと、
前記電子番組表情報が変更されたと判断された場合に、前記新たに取得された電子番組表情報を、ネットワークを介して接続された１または２以上の受信装置に送信するステップと、を含む、送信方法。
【請求項８】
ネットワークに接続された送信装置から送信される電子番組表情報および前記電子番組表情報を取得する時刻を示す電子番組表情報取得時刻を受信するステップと、
前記受信された前記電子番組表情報を被記憶媒体に記録するステップと、
前記受信された前記電子番組表情報取得時刻に示される時刻に放送波に含まれる電子番組表情報を取得するステップと、
前記被記憶媒体に記録された電子番組表情報と、前記電子番組表情報を取得するステップにより取得された電子番組表情報とを比較して電子番組表情報が変更されたか否かを判断するステップと、
を含む、受信方法。
【請求項９】
コンピュータを、
放送波に含まれる電子番組表情報を取得する取得部と、
前記取得部により取得された前記電子番組表情報を被記憶媒体に記録する記録部と、
前記被記憶媒体に記録された電子番組表情報と、前記取得部により新たに取得された電子番組表情報とを比較して電子番組表情報が変更されたか否かを判断する判断部と、
前記電子番組表情報が変更されたと前記判断部により判断された場合に、前記新たに取得された電子番組表情報を、ネットワークを介して接続された１または２以上の受信装置に送信する送信部と、を備える送信装置として機能させるためのプログラム。
【請求項１０】
コンピュータを、
ネットワークに接続された送信装置から送信される電子番組表情報および前記電子番組表情報を取得する時刻を示す電子番組表情報取得時刻を受信する受信部と、
前記受信部により受信された前記電子番組表情報を被記憶媒体に記録する記録部と、
前記受信部により受信された前記電子番組表情報取得時刻に示される時刻に放送波に含まれる電子番組表情報を取得する取得部と、
前記被記憶媒体に記録された電子番組表情報と、前記取得部により取得された電子番組表情報とを比較して電子番組表情報が変更されたか否かを判断する判断部と、
を備え、
前記記録部は、電子番組表情報が変更されたと前記判断部により判断された場合に、前記取得された電子番組表情報を被記憶媒体に記録する、受信装置として機能させるためのプログラム。
【請求項１１】
送信装置と受信装置とがネットワークを介して接続されており、
前記送信装置は、
放送波に含まれる電子番組表情報を取得する取得部と、
前記取得部により取得された前記電子番組表情報を被記憶媒体に記録する記録部と、
前記被記憶媒体に記録された電子番組表情報と、前記取得部により新たに取得された電子番組表情報とを比較して電子番組表情報が変更されたか否かを判断する判断部と、
前記電子番組表情報が変更されたと前記判断部により判断された場合に、前記新たに取得された電子番組表情報を、前記受信装置に送信する送信部と、
を備え、
前記受信装置は、
前記送信装置から送信される電子番組表情報および前記電子番組表情報を取得する時刻を示す電子番組表情報取得時刻を受信する受信部と、
前記受信部により受信された前記電子番組表情報を被記憶媒体に記録する記録部と、
前記受信部により受信された前記電子番組表情報取得時刻に示される時刻に放送波に含まれる電子番組表情報を取得する取得部と、
前記被記憶媒体に記録された電子番組表情報と、前記取得部により取得された電子番組表情報とを比較して電子番組表情報が変更されたか否かを判断する判断部と、
を備える、送受信システム。
【手続補正２】
【補正対象書類名】明細書
【補正対象項目名】０００１
【補正方法】変更
【補正の内容】
【０００１】
本発明は、送信装置、受信装置、送信方法および送信システムおよびプログラムに関し、特に、電子番組表情報を送受信する送信装置、受信装置、送受信方法および送受信システムおよびプログラムに関する。
【手続補正３】
【補正対象書類名】明細書
【補正対象項目名】００１６
【補正方法】変更
【補正の内容】
【００１６】
上記課題を解決するために、本発明の別の観点によれば、放送波に含まれる電子番組表情報を取得するステップと、取得された電子番組表情報を被記憶媒体に記録するステップと、被記憶媒体に記録された電子番組表情報と、電子番組表情報を取得するステップにより新たに取得された電子番組表情報とを比較して電子番組表情報が変更されたか否かを判断するステップと、電子番組表情報が変更されたと判断された場合に、新たに取得された電子番組表情報を、ネットワークを介して接続された１または２以上の受信装置に送信するステップと、を含む、送信方法が提供される。
【手続補正４】
【補正対象書類名】明細書
【補正対象項目名】００１７
【補正方法】変更
【補正の内容】
【００１７】
上記課題を解決するために、本発明の別の観点によれば、ネットワークに接続された送信装置から送信される電子番組表情報および電子番組表情報を取得する時刻を示す電子番組表情報取得時刻を受信するステップと、受信された電子番組表情報を被記憶媒体に記録するステップと、受信された電子番組表情報取得時刻に示される時刻に放送波に含まれる電子番組表情報を取得するステップと、被記憶媒体に記録された電子番組表情報と、電子番組表情報を取得するステップにより取得された電子番組表情報とを比較して電子番組表情報が変更されたか否かを判断するステップと、を含む、受信方法が提供される。
【手続補正５】
【補正対象書類名】明細書
【補正対象項目名】００３６
【補正方法】変更
【補正の内容】
【００３６】
〔３〕送信装置および受信装置の内部構造
まず、本実施形態にかかる送信装置１００および受信装置２００の内部構造について説明する。図２は送信装置１００および受信装置２００の一例であるレコーダ（Ａ（１）〜Ａ（４））（以下レコーダＡと称する）の内部構造を示すブロック図である。図２に示したように、レコーダＡは、主に、アンテナ１０、１１、ＣＰＵ１２、ＢＳ／ＣＳデジタルチューナ１６、地上波デジタルチューナ１７、ＲＯＭ１８、ＲＡＭ１９、ネットワークＩ／Ｆ部２０、フロントディスプレイ（Ｆｒｏｎｔ  Ｄｉｓｐｌａｙ）２１、タイマ（Ｔｉｍｅｒ）２２、Ｓｕｂμ―ＣＯＭ２３、アウトプットセレクタ(Ｏｕｔｐｕｔ  Ｓｅｌｅｃｔｅｒ)２５、デコーダ（Ｄｅｃｏｄｅｒ）２６、インプットセレクタ（Ｉｎｐｕｔ  Ｓｅｌｅｃｔｅｒ）２７、エンコーダ（Ｅｎｃｏｄｅｒ）２８を備える。
【手続補正６】
【補正対象書類名】明細書
【補正対象項目名】００３７
【補正方法】変更
【補正の内容】
【００３７】
アンテナ１０は、ＢＳ／ＣＳデジタル放送波を受信して、周波数変換した信号をＢＳ／ＣＳチューナ１６に提供する。アンテナ１１は、地上波デジタル放送波を受信して、周波数変換した信号を地上波デジタルチューナに提供する。ＢＳ／ＣＳデジタルチューナ１６および地上波デジタルチューナ１７は、受信した高周波デジタル変調信号のうちから特定の周波数の信号を取り出す。